(57)【要約】【課題】ピンの接触による導通を用いないスイッチおよび通信装置を提供する。【解決手段】スイッチ１００は、回路と導通し、外部アンテナが通信装置に対して接続される場合、該外部アンテナと接続される移動導体部１２０を有し、基板３００の表面は、内部アンテナと導通する導通領域３０２を有し、移動導体部１２０は外部アンテナの接続に伴って移動し、外部アンテナが接続されない場合、導通領域３０２と接触する第１位置に位置して内部アンテナと導通し、外部アンテナが接続される場合、導通領域３０２と離間する第２位置に位置して内部アンテナと絶縁される。【選択図】図２
2011188136.tif 000002
【特許請求の範囲】
【請求項１】
通信装置内の基板の表面上に設けられ、前記通信装置に設けられる内部アンテナ、または前記通信装置に対して接続される外部アンテナを選択的に前記通信装置内の回路に接続するスイッチであって、
前記回路と導通し、前記外部アンテナが前記通信装置に対して接続される場合、該外部アンテナと接続される移動導体部を有し、
前記基板の表面は、前記内部アンテナと導通する導通領域を有し、
前記移動導体部は前記外部アンテナの接続に伴って移動し、
前記外部アンテナが接続されない場合、前記導通領域と接触する第１位置に位置して前記内部アンテナと導通し、
前記外部アンテナが接続される場合、前記導通領域と離間する第２位置に位置して前記内部アンテナと絶縁されることを特徴とするスイッチ。
【請求項２】
請求項１に記載のスイッチにおいて、
前記移動導体部を前記第２位置から前記第１位置に向かう方向に付勢する付勢手段をさらに有することを特徴とするスイッチ。
【請求項３】
請求項１または２に記載のスイッチにおいて、
前記基板の表面は、前記内部アンテナと絶縁される非導通領域をさらに有し、
前記移動導体部は、前記第２位置においては前記非導通領域と接する、
ことを特徴とするスイッチ。
【請求項４】
請求項３に記載のスイッチにおいて、
前記移動導体部は導電性材料からなる車輪を有し、
前記移動導体部は前記車輪を介して前記表面に接し、
前記車輪は、前記移動導体部の移動に伴い、前記表面上を該表面との接触を維持したまま転がることを特徴とするスイッチ。
【請求項５】
請求項１または２に記載のスイッチにおいて、
前記移動導体部は、その少なくとも一部が前記移動導体部に対し固定される可撓性の導体部を有し、
前記移動導体部が前記第１位置に位置する場合、前記導体部は前記導通領域と接触する形状であり、
前記移動導体部が前記第２位置に位置する場合、前記導体部は前記導通領域と離間する形状であることを特徴とするスイッチ。
【請求項６】
請求項５に記載のスイッチにおいて、
前記基板に固定され、前記基板の表面を覆う壁部をさらに有し、
前記導体部は、前記壁部に設けられる穴部を貫通して前記導通領域の方向に突出し、
前記移動導体部が前記第１位置に位置する場合、前記導体部は前記導通領域と接し、
前記移動導体部が前記第２位置に位置する場合、前記導体部は前記穴部の縁部により変形して前記導通領域と離間することを特徴とするスイッチ。
【請求項７】
無線通信を行う通信装置であって、
前記通信装置内の基板の表面上に設けられ、前記通信装置に設けられる内部アンテナ、または前記通信装置に対して接続される外部アンテナを選択的に前記通信装置内の回路に接続するスイッチを有し、
前記スイッチは、前記回路と導通し、前記外部アンテナが前記通信装置に対して接続される場合、該外部アンテナと接続される移動導体部を有し、
前記基板の表面は、前記内部アンテナと導通する導通領域を有し、
前記移動導体部は前記外部アンテナの接続に伴って移動し、
前記外部アンテナが接続されない場合、前記導通領域と接触する第１位置に位置して前記内部アンテナと導通し、
前記外部アンテナが接続される場合、前記導通領域と離間する第２位置に位置して前記内部アンテナと絶縁されることを特徴とする通信装置。
【発明の詳細な説明】
【技術分野】
【０００１】
本発明は、スイッチおよび通信装置に関する。
【背景技術】
【０００２】
移動体通信システムにおける基地局装置や中継装置等、無線通信を行う通信装置には、外部アンテナが接続される端子を有するものがあり、この端子に外部アンテナが接続された場合には外部アンテナを使用し、接続されない場合には通信装置に内蔵される内部アンテナを使用して無線通信を行う。そのため無線通信を行う回路は、アンテナを切り替えるスイッチを有し、外部アンテナの脱着に伴い内部アンテナと外部アンテナとの切り替えを行っている。
【０００３】
図４および図５は、従来のスイッチ５００の構成を示す断面図である。実際にはスイッチ５００はハウジング部６００に覆われているが、図４および図５ではスイッチ５００の構造を示すためにハウジング部６００についてはその内部の構造を示している。スイッチ５００は通信装置内に設けられ、該通信装置内の図示しない回路に、該通信装置に設けられる図示しない内部アンテナ、または該通信装置に対して接続される図示しない外部アンテナを、選択的に接続する。
【０００４】
スイッチ５００は、ハウジング部６００内に設けられる、移動導体部５２０、インシュレータ部５４０、およびハウジング部６００の外壁に設けられる穴をそれぞれ貫通する端子部５６０、ピン６０２を有する。
【０００５】
ハウジング部６００は、銅等の導電性の金属からなる。移動導体部５２０は、銅等の伝導性の金属からなり、ハウジング部６００の内径と等しい半径を有する円板と、該円板より小さい半径の円筒部とからなる、破線Ｙと破線Ｚの間に示される部材である。移動導体部５２０の円板部の外周は絶縁体で覆われ、ハウジング部６００と絶縁されている。移動導体部５２０は、端子部５６０側の表面に穴を有し、この穴に端子部５６０が差し込まれている。
【０００６】
インシュレータ部５４０は、樹脂等の絶縁性のある材料からなり、ハウジング部６００の内径と等しい半径を有する円筒と、その両側に設けられる該円筒より小さい半径の円筒部からなる、破線Ｘと破線Ｙの間に示される部材である。また、インシュレータ部５４０は、その中心部を、図面における横方向に貫通する、導電性の金属からなる導通部を有する。
【０００７】
端子部５６０およびピン６０２は銅等の導電性の金属からなり、端子部５６０は通信装置内の回路と、ピン６０２は内部アンテナと、それぞれ導通している。端子部５６０は、前述の回路側の一端（図示しない）において、はんだ付けにより基板７００に固定され、該回路と導通している。また、ピン６０２は、はんだ付けにより基板７００に固定され、内部アンテナと導通している。端子部５６０は、移動導体部５２０側の一端が移動導体部５２０の穴に差し込まれている。その一端は板バネ部等により移動導体部５２０の穴の内側面と接触し、この接触により端子部５６０と移動導体部５２０は常に導通している。
【０００８】
外部アンテナと接続されるケーブル８００が接続されない場合、スイッチ５００は図４に示される状態であり、ピン６０２、移動導体部５２０、および端子部５６０を介して通信装置内の回路と内部アンテナとが接続される。
【０００９】
ケーブル８００が接続される場合、スイッチ５００は図５に示される状態になる。すなわち、インシュレータ部５４０および移動導体部５２０がケーブル８００の挿入方向に移動し、移動導体部５２０とピン６０２とが離間することによって内部アンテナと回路は絶縁され、かつケーブル８００はインシュレータ部５４０を貫通する導通部、移動導体部５２０、および端子部５６０を介して回路と接続される。
【００１０】
ここで、インシュレータ部５４０および移動導体部５２０はバネ部５８０により矢印Ａの方向に付勢されており、ケーブル８００が抜き取られると矢印Ａの方向に移動し、図１の状態に戻る。これにより、外部アンテナ（ケーブル８００）の脱着に伴うアンテナの切り替えが実現されている。
【００１１】
なお、特許文献１には、外部アンテナの取り付けを検出する検出端子を用いて、外部アンテナと内部アンテナとを切り替える同軸コネクタが開示されている。
【先行技術文献】
【特許文献】
【００１２】
【特許文献１】特開平１０−２５５９１５号公報
【発明の概要】
【発明が解決しようとする課題】
【００１３】
スイッチ５００において、ハウジング部６００は金属製であり、ピン６０２の側面のうちハウジング部６００の外壁の断面部と対向する部分は絶縁体６０４により覆われている。ピン６０２は、絶縁体６０４と一体でハウジング部６００の穴にはめ込まれることで、ハウジング部６００との絶縁が実現されている。この絶縁体６０４が、ピン６０２が移動導体部５２０から受ける力や経年劣化等によって変形した場合、ピン６０２のぐらつきが発生するようになる。その結果、ケーブル８００が挿入されておらず移動導体部５２０とピン６０２とが接触して導通しているべき場合においても、ピン６０２の移動導体部５２０と反対方向へのぐらつきにより、この導通状態が安定して維持されないことがある。
【００１４】
本発明は、ピン６０２の接触による導通を用いないスイッチおよび通信装置を提供することを目的とする。
【課題を解決するための手段】
【００１５】
上記課題を解決するために、本発明に係るスイッチは、通信装置内の基板の表面上に設けられ、前記通信装置に設けられる内部アンテナ、または前記通信装置に対して接続される外部アンテナを選択的に前記通信装置内の回路に接続するスイッチであって、前記回路と導通し、前記外部アンテナが前記通信装置に対して接続される場合、該外部アンテナと接続される移動導体部を有し、前記基板の表面は、前記内部アンテナと導通する導通領域を有し、前記移動導体部は前記外部アンテナの接続に伴って移動し、前記外部アンテナが接続されない場合、前記導通領域と接触する第１位置に位置して前記内部アンテナと導通し、前記外部アンテナが接続される場合、前記導通領域と離間する第２位置に位置して前記内部アンテナと絶縁される。
【００１６】
本発明によれば、アンテナの切り替えにおける内部アンテナの接続／非接続の切り替えが、移動導体部の、基板の表面上の導体領域との接触の有無により行われ、ピンの接触による導通が不要になる。
【００１７】
また、本発明の一態様では、前記移動導体部を前記第２位置から前記第１位置に向かう方向に付勢する付勢手段をさらに有する。
【００１８】
この態様によれば、外部アンテナが取り外された場合には移動導体部が第１位置に移動し、回路と内部アンテナとが接続された状態に戻る。
【００１９】
また、本発明の一態様では、前記基板の表面は、前記内部アンテナと絶縁される非導通領域をさらに有し、前記移動導体部は、前記第２位置においては前記非導通領域と接する。
【００２０】
この態様によれば、移動導体部の移動により該移動導体部を基板の表面から離間する構成を設けることなく、すなわち移動導体部と基板の表面とが接触した状態を維持したままで、移動導体部と導体領域との間の接触の有無の制御が実現される。
【００２１】
また、本発明の一態様では、前記移動導体部は導電性材料からなる車輪を有し、前記移動導体部は前記車輪を介して前記表面に接し、前記車輪は、前記移動導体部の移動に伴い、前記表面上を該表面との接触を維持したまま転がる。
【００２２】
この態様によれば、移動導体部の移動に伴う、移動導体部と基板の表面との摩擦が軽減される。
【００２３】
また、本発明の一態様では、前記移動導体部は、その少なくとも一部が前記移動導体部に対し固定される可撓性の導体部を有し、前記移動導体部が前記第１位置に位置する場合、前記導体部は前記導通領域と接触する形状であり、前記移動導体部が前記第２位置に位置する場合、前記導体部は前記導通領域と離間する形状であることを特徴とするスイッチ。
【００２４】
この態様によれば、導体部の変形により移動導体部と導通領域との間の接触の有無の制御が実現される。
【００２５】
また、本発明の一態様では、前記基板に固定され、前記基板の表面を覆う壁部をさらに有し、前記導体部は、前記壁部に設けられる穴部を貫通して前記導通領域の方向に突出し、前記移動導体部が前記第１位置に位置する場合、前記導体部は前記導通領域と接し、前記移動導体部が前記第２位置に位置する場合、前記導体部は前記穴部の縁部により変形して前記導通領域と離間する。
【００２６】
この態様によれば、導体部を変形させるための複雑な構成を用いることなく、導体部の変形による移動導体部と導通領域との接触の有無の制御が実現される。
【００２７】
また、本発明に係る通信装置は、無線通信を行う通信装置であって、前記通信装置内の基板の表面上に設けられ、前記通信装置に設けられる内部アンテナ、または前記通信装置に対して接続される外部アンテナを選択的に前記通信装置内の回路に接続するスイッチを有し、前記スイッチは、前記回路と導通し、前記外部アンテナが前記通信装置に対して接続される場合、該外部アンテナと接続される移動導体部を有し、前記基板の表面は、前記内部アンテナと導通する導通領域を有し、前記移動導体部は前記外部アンテナの接続に伴って移動し、前記外部アンテナが接続されない場合、前記導通領域と接触する第１位置に位置して前記内部アンテナと導通し、前記外部アンテナが接続される場合、前記導通領域と離間する第２位置に位置して前記内部アンテナと絶縁される。
【図面の簡単な説明】
【００２８】
【図１】本発明の第１の実施形態に係るスイッチの構成を示す図である。
【図２】本発明の第１の実施形態に係るスイッチの構成を示す断面図である。
【図３】本発明の第１の実施形態に係るスイッチの構成を示す断面図である。
【図４】従来のスイッチの構成を示す断面図である。
【図５】従来のスイッチの構成を示す断面図である。
【図６】スイッチが設けられない状態における基板を上方向から見た図である。
【図７】第２の実施形態に係るスイッチの構成を示す図である。
【図８】外部アンテナが接続されていない場合の、スイッチの構成の一部を示す図である。
【図９】外部アンテナが接続されている場合の、スイッチの構成の一部を示す図である。
【発明を実施するための形態】
【００２９】
以下、本発明を実施するための好適な実施の形態（以下、実施形態という）について、図面に基づき詳細に説明する。
【００３０】
［第１の実施形態］
図１は、本発明の第１の実施形態に係るスイッチ１００の構成を示す図である。図２および図３は、本発明の第１の実施形態に係るスイッチ１００の構成を示す断面図である。実際にはスイッチ１００はハウジング部２００に覆われているが、図１においては、スイッチ１００の構造を示すためにハウジング部２００についてはその内部の構造を示している。スイッチ１００は通信装置内の基板３００上に設けられ、該通信装置に設けられる図示しない内部アンテナ、または該通信装置に対して接続される図示しない外部アンテナを選択的に該通信装置内の図示しない回路（通信回路等）に接続する。
【００３１】
スイッチ１００は、ハウジング部２００、ハウジング部２００内に設けられる、移動導体部１２０およびインシュレータ部１４０、およびハウジング部２００の外壁に設けられる穴を貫通する端子部１６０を有する。端子部１６０は通信装置内の図示しない回路と導通している。
【００３２】
ハウジング部２００は、スイッチ１００の筐体であり、かつ接地されてケーブル４００（外部アンテナ）のグランドとしての機能も果たす。ハウジング部２００は銅等の導電性の金属からなり、内径および外径が異なる２つの円筒が接続された形状を有する。また、ハウジング部２００は、基板３００と対向する部分において、ハウジング部２００の内部から外部に貫通する穴部２０２を有する。
【００３３】
移動導体部１２０は、外部アンテナと接続されるケーブル４００の挿抜（接続および取り外し）に伴って移動し、回路を内部アンテナ、又は外部アンテナと、選択的に接続する。移動導体部１２０は銅等の導電性の金属からなり、ハウジング部２００の内径よりも小さい外径を有し、その内部に円筒形状の空洞部１２２を有する円筒の形状を有し、さらに車輪支持部１２４および車輪部１２６が設けられている。移動導体部１２０は、付勢手段であるバネ部１８０により、矢印Ａの方向（後述する、第２の位置から第１の位置に向かう方向）に付勢されている。
【００３４】
車輪支持部１２４は銅等の導電性の金属からなる。車輪部１２６は、車輪支持部１２４を挟む同形状の２つの車輪からなる。車輪部１２６は導電ゴム等の導電性のある弾性材料からなり、ハウジング部２００の穴部２０２を通ってハウジング部２００の外側に露出し、基板３００の表面と接している。車輪部１２６については後述する。
【００３５】
インシュレータ部１４０は、樹脂等の絶縁性のある材料からなり、外径が異なる３つの円筒が接続された形状を有し、最も外径が大きい部分においてハウジング部２００の内壁と接している。インシュレータ部１４０は、その中心部を貫通する、銅等の導電性の金属からなる導体部１４２を有する。
【００３６】
端子部１６０は、銅等の導電性の金属からなり、絶縁体１６２を介して、ハウジング部２００の外壁を貫通する穴に固定される。端子部１６０は、通信装置内の回路側の一端（図示しない）において、はんだ付けにより基板３００に固定されて該回路と導通し、他方はバネ部１８０の中を通って移動導体部１２０の空洞部１２２に差し込まれている。そして端子部１６０の、空洞部１２２に差し込まれた部分の表面には導電性の板バネ部１６４が設けられ、この板バネ部１６４が空洞部１２２の内壁と接触し、端子部１６０と移動導体部１２０は導通している。
【００３７】
基板３００は、ガラスエポキシ基板等の回路基板であり、その表面上に内部アンテナと導通する導通領域３０２と、内部アンテナと絶縁される非導通領域３０４と、を有する。
【００３８】
ケーブル４００は、外部アンテナと接続される同軸ケーブルであり、銅製の内部導体４０２、ポリエチレンからなる絶縁体４０４、および同軸ケーブルの外部導体と接続される銅製の接続部４０６を有する。接続部４０６の内壁には導電性の板バネ部４０８が設けられ、ケーブル４００がスイッチ１００に接続される図３の状態においては板バネ部４０８がハウジング部２００に接触し、接続部４０６とハウジング部２００とは導通する。
【００３９】
以下に、スイッチ１００の動作を説明する。図６は、スイッチ１００が設けられない状態における基板３００を上方向から見た図である。スイッチ１００が設けられる位置は、破線で示されている。基板３００は、内部アンテナ（内部アンテナと接続される同軸ケーブルの内部導体）と導通する導通領域３０２、および内部アンテナと絶縁される非導通領域３０４を有する。移動導体部１２０の車輪部１２６は、外部アンテナ（ケーブル４００）の接続に伴い、Ｘ１で示される位置とＸ２で示される位置との間で転がる。
【００４０】
図２は、外部アンテナ（ケーブル４００）が接続されていない状態を示している。この場合、移動導体部１２０およびインシュレータ部１４０は、バネ部１８０による付勢力で、矢印Ａの方向に寄った位置（第１位置）に位置する。図２の状態、すなわち外部アンテナ（ケーブル４００）が接続されない状態では、車輪部１２６の２つの車輪は図６におけるＸ１で示される位置に位置する。すなわち、移動導体部１２０は内部アンテナと導通し、回路と内部アンテナとの導通が実現されている。
【００４１】
図３は、外部アンテナ（ケーブル４００）が接続されている状態を示している。この場合、移動導体部１２０およびインシュレータ部１４０は、ケーブル４００（外部アンテナ）の接続に伴って矢印Ａと反対の方向に移動し、端子部１６０の方向に寄った位置（第２位置）に位置する。図３の状態、すなわちケーブル４００（外部アンテナ）が接続される状態では、車輪部１２６の２つの車輪は図６においてＸ２で示される位置に位置する。すなわち、移動導体部１２０は内部アンテナとは絶縁されている。一方、ケーブル４００の内部導体４０２と端子部１６０は、インシュレータ部１４０の導体部１４２および移動導体部１２０を介して導通している。また、ケーブル４００の接続部４０６は表面に設けられる板バネ部４０８によりハウジング部２００と接触して導通している。すなわち、外部アンテナの挿入に伴い、回路の接続先が内部アンテナから外部アンテナに切り替えられている。
【００４２】
そして、図３の状態においてケーブル４００（外部アンテナ）が抜き取られると、バネ部１８０の付勢力により移動導体部１２０およびインシュレータ部１４０は矢印Ａの方向に移動する。ケーブル４００が完全に抜き取られた時、移動導体部１２０は第１位置に位置し、スイッチ１００は図２に示される状態になる。
【００４３】
以上の構成により、アンテナを切り替えるスイッチ１００が、ピンを用いることなく実現される。
【００４４】
また、移動導体部１２０が基板３００上を移動する構成として車輪部１２６が用いられることにより、移動導体部１２０と基板３００との間の摩擦が軽減される。これにより基板３００の摩耗が軽減され、例えば導通領域３０２を構成する導電体の摩耗による導電不良が回避される。
【００４５】
さらに、ピンが不要になることによりピンを固定するためのはんだ付けも不要になる。これに伴い、はんだによって発生するフラックス上がりも回避され、フラックス上がりによる接触不良等の不具合も回避される。
【００４６】
なお、本実施形態では移動導体部１２０が車輪部１２６を介して基板３００の表面と接する構成が示されたが、本発明はこれに限定されず、例えば基板３００方向に突出する板バネ部状の導電体を有し、この導電体を介して基板３００と接する構成としてもよい。
【００４７】
また、本実施形態では導通領域３０２と非導通領域３０４が繋がっている構成が示されたが、本発明はこれに限定されず、ケーブル４００が接続されない状態で車輪部１２６が位置する領域が導通領域３０２に含まれ、ケーブル４００が接続された状態で車輪部１２６が位置する領域が非導通領域３０４に含まれる構成であれば他の構成でもよく、例えば導通領域３０２と非導通領域３０４とが離間する構成でもよい。
【００４８】
また、本実施形態を構成する部材のそれぞれを構成する材料は、それぞれと同様の特性（導電性、非導電性、弾性等）を有する他の材料としてもよい。
【００４９】
［第２の実施形態］
図７は、第２の実施形態に係るスイッチ９００の構成を示す図である。スイッチ９００は、第１の実施形態に係るスイッチ１００と同様に、通信装置内の基板の表面上に設けられ、該通信装置に設けられる内部アンテナ、または該通信装置に対して接続される外部アンテナを選択的に該通信装置内の回路（通信回路等）に接続する。実際にはスイッチ９００はハウジング部１０００に覆われているが、図７においては、図１と同様、スイッチ９００の構造を示すためにハウジング部１０００についてはその内部の構造を示している。スイッチ９００では、可撓性の導体部１１２０を変形させることで、内部アンテナとの導通／非導通の制御を行う。なお、スイッチ９００のうち、第１の実施形態に係るスイッチ１００と同等の部分においては同一の符号を付してその説明を省略し、ここではスイッチ１００と異なる部分についてのみ説明する。
【００５０】
ハウジング部１０００は、支持部１３００を介して、基板１２００に対し、離間して固定される。また、ハウジング部１０００は、基板１２００と対向し、基板１２００の表面を覆う壁面（壁部）に設けられる穴部１００２を有する。これらの構成以外は、ハウジング部１０００は第１の実施形態のハウジング部２００と同様の構成を有する。
【００５１】
移動導体部１１００は、導体部１１２０を有する。導体部１１２０は、その一部が移動導体部１１００に対し固定された、可撓性を有する銅等の金属からなり、基板１２００（導通領域１２０２）の方向に突出している。この構成および車輪支持部１２４、車輪部１２６が設けられない点以外は、移動導体部１１００は、第１の実施形態の移動導体部１２０と同様の構成を有する。
【００５２】
基板１２００は、表面に内部アンテナと導通する導通領域１２０２が設けられる。この構成以外は、基板１２００は、第１の実施形態の基板３００と同様の構成を有する。
【００５３】
スイッチ９００における、内部アンテナとの接続／非接続の制御を説明する。図８は、外部アンテナが接続されていない場合の、スイッチ９００の構成の一部を示す図である。この場合、移動導体部１１００（およびインシュレータ部１４０）は図７に示される位置（第１位置）に位置し、導体部１１２０は穴部１００２を通って基板１２００の方向に突出し、基板１２００の導通領域１２０２と接している。
【００５４】
図９は、外部アンテナが接続されている場合の、スイッチ９００の構成の一部を示す図である。この場合、移動導体部１１００（およびインシュレータ部１４０）は外部アンテナと接続されるケーブルによって移動し、図３と同様の位置（第２位置）に位置している。この場合、導体部１１２０は穴部１００２の縁部により変形し、基板１２００の導通領域１２０２と離間している。なお、この状態において外部アンテナが抜き取られると、バネ部１８０の付勢力により移動導体部１１００（およびインシュレータ部１４０）は移動し、スイッチは図７に示される状態に変化する。
【００５５】
以上の構成によれば、車輪部１２６を設ける場合より単純な構造で、ピンを使用しないスイッチが実現される。また、移動導体部１１００（導体部１１２０）と基板１２００との間の摩擦がないため、例えば導通領域１２０２を構成する導電体の摩耗による導電不良が回避される。
【００５６】
なお、本実施形態では導体部１１２０が基板１２００と離間するハウジング部１０００の外壁により変形する構成が示されたが、導体部１１２０が移動導体部１１００の移動に伴って変形する構成であれば他の構成でもよい。例えば、ハウジング部１０００内に、該ハウジング部１０００に固定されて、移動導体部１１００の移動時に移動導体部１１００と接触して移動導体部１１００を変形させる部材が設けられる構成としてもよいし、基板１２００の表面とハウジング部１０００との間に、基板１２００に固定されて、移動導体部１１００の移動時に移動導体部１１００と接触して移動導体部１１００を変形させる部材が設けられる構成としてもよい。
【００５７】
また、本実施形態を構成する部材のそれぞれを構成する材料は、それぞれと同様の特性（導電性、非導電性、弾性等）を有する他の材料としてもよい。
【符号の説明】
【００５８】
１００  スイッチ、１２０  移動導体部、１２２  空洞部、１２４  車輪支持部、１２６  車輪部、１４０  インシュレータ部、１４２  導体部、１６０  端子部、１６２  絶縁体、１６４  板バネ部、１８０  バネ部、２００  ハウジング部、２０２  穴部、３００  基板、３０２  導通領域、３０４  非導通領域、４００  ケーブル、４０２  内部導体、４０４  絶縁体、４０６  接続部、４０８  板バネ部、５００  スイッチ、５２０  移動導体部、５４０  インシュレータ部、５６０  端子部、５８０  バネ部、６００  ハウジング部、６０２  ピン、６０４  絶縁体、７００  基板、８００  ケーブル、９００  スイッチ、１０００  ハウジング部、１００２  穴部、１１００  移動導体部、１１２０  導体部、１２００  基板、１２０２  導通領域、１３００  支持部。
【図１】
2011188136.tif 000003
【図２】
2011188136.tif 000004
【図３】
2011188136.tif 000005
【図４】
2011188136.tif 000006
【図５】
2011188136.tif 000007
【図６】
2011188136.tif 000008
【図７】
2011188136.tif 000009
【図８】
2011188136.tif 000010
【図９】
2011188136.tif 000011